(57)【要約】【課題】島台における配線の自由度が低下するのを抑制しつつ、商用電源の電圧を降圧した電圧を供給すべき遊技機に降圧されていない電圧が誤接続によって供給されてしまうのを抑制すること。【解決手段】コンセント１１６とプラグ４６とが接続された状態で筐体本体７３に収納されると、収納されたままではプラグ４６がコンセント１１６から抜けないように、筐体本体７３の大きさが設計されている。したがって、このままの状態で蓋体７５を閉じ、係止片８１の係止穴８１Ａに係止突起８４を嵌合させれば、コンセント１１６とプラグ４６とが外れるのを電線保持具７０によって良好に抑制することができる。【選択図】図５
2015144786.tif 000002
【特許請求の範囲】
【請求項１】
商用電源の電圧を降圧した電圧が、コンセントとプラグとを接続してなるコンセント接続部を経由して遊技機に供給される通電経路に装着され、前記コンセントと前記プラグとを互いに接続された状態で収納する筐体と、
前記筐体に設けられ、前記コンセント又は前記プラグのいずれか一方に接続された電線を前記筐体の外に貫通させる第１穴部と、
前記筐体に設けられ、前記コンセント又は前記プラグの他方に接続された電線又はその電線に更に接続された接続部材を前記筐体の外に貫通させる第２穴部と、
を備え、
前記筐体は、前記コンセント及び前記プラグが当該筐体に収納されているときは両者を接続状態に維持する大きさに設計されたことを特徴とする遊技機用電線保持具。
【請求項２】
前記筐体は、前記コンセントに対する前記プラグの着脱方向に平行なヒンジを介して開閉可能に構成され、かつ、当該筐体を閉じた状態に保持するロック機構を備えたことを特徴とする請求項１に記載の遊技機用電線保持具。
【請求項３】
前記第２穴部は前記コンセント又は前記プラグのうち前記他方に接続された電線を貫通させ、
前記第１穴部及び前記第２穴部は、前記ヒンジを挟んだ一方の側の筐体本体に設けられ、
前記第１穴部に装着されてその第１穴部を貫通する電線を位置決めする第１位置決め部材と、
前記第２穴部に装着されてその第２穴部を貫通する電線を位置決めする第２位置決め部材と、
を備えたことを特徴とする請求項２に記載の遊技機用電線保持具。
【請求項４】
商用電源の電圧を降圧した電圧が、コンセントとプラグとを接続してなるコンセント接続部を経由して遊技機に供給される通電経路を、
備えた遊技機用給電機構であって、
前記通電経路の一部が、前記コンセント及び前記プラグとは異なる形状の端子を接続させて導通する異形接続部を介して接続され、
前記コンセント接続部に請求項１〜３のいずれか１項に記載の遊技機用電線保持具が装着され、当該遊技機用電線保持具の筐体に、前記コンセント接続部のコンセント及びプラグが接続された状態で収納されたことを特徴とする遊技機用給電機構。
【発明の詳細な説明】
【技術分野】
【０００１】
本発明は、遊技機に給電を行う機構に関し、詳しくはその給電用の電線を保持する遊技機用電線保持具、及び、その遊技機用電線保持具を備えた遊技機用給電機構に関する。
【背景技術】
【０００２】
従来、多数の遊技機が設けられる島台には、遊技機の他、呼出情報表示装置やカードユニットといった各種関連機器が設けられる場合がある。ところが、多くの場合、遊技機には、ＡＣ１００Ｖの商用電源の電圧を降圧したＡＣ２４Ｖの電圧を供給する必要があり、関連機器にはＡＣ１００Ｖの電圧を供給する必要がある。そこで、島台には、１台分の遊技機設置空間毎に、ＡＣ２４Ｖの電圧が供給された低電圧コンセントと、ＡＣ１００Ｖの電圧が供給された高電圧コンセントとが、島台上方から垂らされる場合がある。この場合、遊技機がＡＣ１００Ｖの高電圧コンセントに誤って接続され、遊技機の制御基板等が破壊されてしまう可能性がある。そこで、島台に対する遊技機の入れ替えの際に遊技機本体を回動させて島台の遊技機設置空間を露出させても、低電圧コンセントしか見えないように配線を行うことが提案されている（例えば、特許文献１参照。）。
【先行技術文献】
【特許文献】
【０００３】
【特許文献１】特開２０１２−１１０７７号公報
【発明の概要】
【発明が解決しようとする課題】
【０００４】
しかしながら、特許文献１のように島台の配線を調整して前記のような誤接続を抑制する場合、島台における配線の自由度が低下し、ひいては、島台全体の設計の自由度が低下する可能性がある。また、このような課題は、多数の遊技機を備えた島台に限らず、島台が単一の遊技機を備えたいわゆる単独島である場合にも同様に生じ得る。
【０００５】
そこで、本発明は、島台における配線の自由度が低下するのを抑制しつつ、商用電源の電圧を降圧した電圧を供給すべき遊技機に降圧されていない電圧が誤接続によって供給されてしまうのを抑制することを目的としてなされた。
【課題を解決するための手段】
【０００６】
本発明の遊技機用電線保持具は、商用電源の電圧を降圧した電圧が、コンセントとプラグとを接続してなるコンセント接続部を経由して遊技機に供給される通電経路に装着され、前記コンセントと前記プラグとを互いに接続された状態で収納する筐体と、前記筐体に設けられ、前記コンセント又は前記プラグのいずれか一方に接続された電線を前記筐体の外に貫通させる第１穴部と、前記筐体に設けられ、前記コンセント又は前記プラグの他方に接続された電線又はその電線に更に接続された接続部材を前記筐体の外に貫通させる第２穴部と、を備え、前記筐体は、前記コンセント及び前記プラグが当該筐体に収納されているときは両者を接続状態に維持する大きさに設計されたことを特徴とする。
【０００７】
このように構成された本発明の遊技機用電線保持具は、商用電源の電圧を降圧した電圧が、コンセントとプラグとを接続してなるコンセント接続部を経由して遊技機に供給される通電経路に装着される。そして、その遊技機用電線保持具の筐体は、前記コンセントと前記プラグとを互いに接続された状態で収納する。しかも、その筐体は、前記コンセント及び前記プラグが当該筐体に収納されているときは両者を接続状態に維持する大きさに設計されている。したがって、本発明の遊技機用電線保持具が装着されたコンセント接続部において、コンセントとプラグとが外れるのを良好に抑制することができる。
【０００８】
また、前記コンセント又は前記プラグのいずれか一方に接続された電線は、第１穴部を介して前記筐体の外に貫通し、前記コンセント又は前記プラグの他方に接続された電線（又はその電線に更に接続された接続部材）は、第２穴部を介して前記筐体の外に貫通している。このため、前記各電線を一部に含んだ前記通電経路を介して、商用電源の電圧を降圧した電圧を、遊技機に供給することができる。また、このような遊技機用電線保持具が装着されていることをもって、その通電経路が商用電源の電圧を降圧した電圧に対応した通電経路である目印とすれば、前記降圧した電圧を供給すべき遊技機に降圧されていない電圧が誤接続によって供給されてしまうのを抑制することができる。しかも、その場合、通電経路に本発明の遊技機用電線保持具を装着するだけでよいので、島台における配線の自由度が低下するのも抑制される。
【０００９】
なお、本発明の遊技機用電線保持具において、前記筐体は、前記コンセントに対する前記プラグの着脱方向に平行なヒンジを介して開閉可能に構成され、かつ、当該筐体を閉じた状態に保持するロック機構を備えてもよい。
【００１０】
その場合、ヒンジを介して前記筐体を開閉することにより、前記コンセントと前記プラグとが接続された状態からでも、容易に前記筐体を前記コンセント接続部に装着することができる。また、ロック機構が前記筐体を閉じた状態に保持するので、前記筐体が何らかの衝撃等によって開いて前記コンセントと前記プラグとが外れてしまうのも抑制することができる。
【００１１】
そして、その場合、更に、前記第２穴部は前記コンセント又は前記プラグのうち前記他方に接続された電線を貫通させ、前記第１穴部及び前記第２穴部は、前記ヒンジを挟んだ一方の側の筐体本体に設けられ、前記第１穴部に装着されてその第１穴部を貫通する電線を位置決めする第１位置決め部材と、前記第２穴部に装着されてその第２穴部を貫通する電線を位置決めする第２位置決め部材と、を備えてもよい。
【００１２】
その場合、第１穴部を貫通する電線及び第２穴部を貫通する電線が、第１位置決め部材及び第２位置決め部材によって位置決めされる。したがって、前記通電経路に装着された本発明の遊技機用電線保持具の配置、及び、その通電経路における電線の配置が、一層安定する。
【００１３】
また、本発明の遊技機用給電機構は、商用電源の電圧を降圧した電圧が、コンセントとプラグとを接続してなるコンセント接続部を経由して遊技機に供給される通電経路を、備えた遊技機用給電機構であって、前記通電経路の一部が、前記コンセント及び前記プラグとは異なる形状の端子を接続させて導通する異形接続部を介して接続され、前記コンセント接続部に請求項１〜３のいずれか１項に記載の遊技機用電線保持具が装着され、当該遊技機用電線保持具の筐体に、前記コンセント接続部のコンセント及びプラグが接続された状態で収納されたことを特徴とする。
【００１４】
このように構成された本発明の遊技機用給電機構では、コンセントとプラグとを接続してなるコンセント接続部を経由して遊技機に電圧を供給する通電経路の一部が、前記コンセント及び前記プラグとは異なる形状の端子を接続させて導通する異形接続部を介して接続されている。一方、前記コンセント接続部には前記発明の遊技機用電線保持具が装着され、当該遊技機用電線保持具の筐体に、前記コンセント接続部のコンセント及びプラグが接続された状態で収納されている。このため、コンセント接続部のコンセント及びプラグは前記発明の遊技機用電線保持具によって外れるのが抑制されており、異形接続部を接続／離脱させることによって、遊技機の入れ替えやメンテナンスがなされる。
【００１５】
この異形接続部は、前記コンセント及び前記プラグとは異なる形状の端子を接続させて導通するものであり、降圧されていない商用電源の電圧が供給されるコンセントとは接続できない。したがって、本発明の遊技機用給電機構では、前記降圧した電圧を供給すべき遊技機に、降圧されていない電圧が誤接続によって供給されてしまうのを抑制することができる。しかも、本発明の遊技機用給電機構では、一般的な通電経路の一部に前記異形接続部を設け、かつ、コンセント接続部に前記発明の遊技機用電線保持具を装着するだけでよいので、島台における配線の自由度が低下するのも抑制される。
【図面の簡単な説明】
【００１６】
【図１】本発明を適用した遊技機用給電機構の要部の構成を表す斜視図である。
【図２】その給電機構に用いられた遊技機用電線保持具の筐体の構成を表す図で、（Ａ）は平面図、（Ｂ）は側面図、（Ｃ）は背面図、（Ｄ）は断面図である。
【図３】その電線保持具の第１位置決め部材の構成を表す図で、（Ａ）は側面図、（Ｂ）は斜視図である。
【図４】前記電線保持具の第２位置決め部材の構成を表す図で、（Ａ）は側面図、（Ｂ）は斜視図である。
【図５】コンセント接続部に対する前記電線保持具の装着状態を表す説明図である。
【図６】前記給電機構が適用されるスロットマシーンの構成を表す正面図である。
【図７】そのスロットマシーンの構成を表す右側面図である。
【図８】そのスロットマシーンの前扉を開放した状態を表す斜視図である。
【図９】そのスロットマシーンが設置される島台の構成を表す模式図である。
【図１０】前記遊技機用電線保持具の変形例の構成を表す説明図である。
【発明を実施するための形態】
【００１７】
＜１．スロットマシーン１の構成＞
以下に、本発明を実施するための形態を図を用いて説明する。まず、図６〜図８を参照しながら、遊技機としてのスロットマシーン１の構成について説明する。図６は、スロットマシーン１の正面図、図７は、スロットマシーン１の右側面図、図８は、スロットマシーン１の前扉２０を開放したときの斜視図である。
【００１８】
スロットマシーン１は、いわゆる３リール型のスロットマシーンであり、マシン内部に円筒外周面に沿ってそれぞれ異なる配置パターンで多種類の図柄が描かれた３つのリール２ａ、２ｂ、２ｃを有している。このスロットマシーン１は、遊技者のスタート操作に基づいて３つのリールを同時に回転起動させた後、それぞれ個別の停止操作に基づいて各リールの回転を停止させ、停止後に表示される３つのリール２ａ、２ｂ、２ｃの図柄の組み合わせが入賞図柄に該当するときに、その入賞状態に応じた枚数の遊技メダルを払い出すように構成されている。
【００１９】
スロットマシーン１は、全体として上下に長い矩形箱状の筐体を有して構成されており、大別すると、図８に示すように、中空の本体枠１０と、この本体枠１０の一側にヒンジ等を介して開閉可能に取り付けられた前扉２０とから構成されている。
【００２０】
本体枠１０は、上板２３と、底板２４と、一対の側板２５ａ，２５ｂと、背面板２６とで、図８に示すように、前面が開放した箱形を成している。本体枠１０の中空内部には、ホッパー５、電源装置６、集中端子板７、中継基板８が取り付けられている。ホッパー５は、ゲーム結果にもとづいて遊技者にメダルを排出するものであり、メダル排出装置として機能する。そして、ホッパー５は、図８に示すように、本体枠１０の底板２４に取り付けられている。
【００２１】
電源装置６は、スロットマシーン１の各機器に電源を供給するものであり、本体枠１０の側板２５ｂに取り付けられている。集中端子板７は、図示していないが、外部出力端子を有し、スロットマシーン１の稼働状況等の情報を外部に出力するためのものであり、本体枠１０の側板２５ａに取り付けられている。中継基板８は、図示しないカードユニット等にハーネスを介して接続されるものであり、本体枠１０の側板２５ａにおける集中端子板７の下側に取り付けられている。
【００２２】
一方、前扉２０は、図６に示すように、その前面側に、リール２ａ、２ｂ、２ｃが臨む表示窓１２ａ、１２ｂ、１２ｃと、メダルを投入するためのメダル投入口１３と、後述のリール装置１４を駆動させるためのスタートレバー１５と、リール装置１４のリール２ａ、２ｂ、２ｃを個別に停止可能な３個のストップスイッチ１６と、クレジットの切替スイッチ１７と、クレジットメダルの投入スイッチ１８等が設けられている。さらに、前扉２０には、その前面側の下部に、交換可能な装飾パネル１９と、ホッパー５から排出されたメダルが貯留されるメダル貯留皿２１とが設けられている。
【００２３】
また、前扉２０は、図８に示すように、その裏面側に、リール装置１４、主基板２２が取り付けられている。リール装置１４は、遊技者のスタートレバー１５の操作により、リール２ａ、２ｂ、２ｃがモータの駆動力により個別に回転するように構成されており、表示窓１２ａ、１２ｂ、１２ｃの裏側に取り付けられている。主基板２２は、リール装置１４やホッパー５等のスロットマシーン１の各種機器の制御を行うものであり、本実施形態ではリール装置１４の上面に取り付けられている。なお、スロットマシーン１は、図６，図７に示すように、前扉２０が閉じた状態であっても、底板２４の前端部２４ａの下部が露出するようになっている。
【００２４】
＜２．島台５０の構成＞
次に、前記構成のスロットマシーン１が設置される島台５０について、図を参照しながら詳細に説明する。図９は、スロットマシーン１が設置される島台５０の骨組みの構成を表す模式図である。
【００２５】
図９に示すように、島台５０は、多数の島柱５５に上から横桟５３Ａ，５３Ｂ，５３Ｃ，５３Ｄなどを架設した格子状の骨組みを有している。また、島台５０の最上部の縦桟５５Ａは、図示しない連結板を介して島柱５５に取り付けられており、その上端部が横桟５３Ａに、下端部が横桟５３Ｂに、それぞれ接続されている。図中、２本の島柱５５，５５と横桟５３Ｂ，５３Ｃにて略囲まれる領域は遊技機設置空間５７であり、この空間にスロットマシーン１が取り付けられる。
【００２６】
また、横桟５３Ｂの上面には、次のような電源部６０が設けられている。すなわち、図９に示すように、この電源部６０は、ＡＣ１００Ｖの商用電源（図示せず）に電線６１を介して接続されたコンセント６３と、前記商用電源にトランス６５及び電線６８を介して接続されたコンセント６９とを備えている。なお、トランス６５は、ＡＣ１００Ｖの商用電源電圧を、ＡＣ２４Ｖに降圧して電線６８に供給するものである。また、コンセント６３，６９は、いずれも、電線６１，６８の自由端に接続されたコードコネクタボディと呼ばれるタイプのコンセントである。
【００２７】
＜３．スロットマシーン１への給電機構５００の構成＞
次に、図１は、トランス６５の電線６８からスロットマシーン１に設けられた受電用の電線４５に至る給電機構５００（遊技機用給電機構の一例）の要部の構成を表す斜視図である。図１に示すように、電線６８と電線４５との間には、中継用の電線１００，１１０が順次配設される。電線６８の先端に接続されたコンセント６９（図９参照）は、電線保持具７０（遊技機用電線保持具の一例）の内部で電線１００の一端に接続されたプラグ１０１と接続されている。
【００２８】
電線１００の他端には、特殊形状のコンセント１０２が接続され、そのコンセント１０２は、電線１１０の一端に接続された特殊形状のプラグ１１１と接続されることにより、異形接続部を構成する。すなわち、プラグ１１１からは、コンセント１０２に対する着脱方向に沿って一対の長尺平板状の電極１１２，１１３が突出しているが、この電極１１２，１１３は、一般のプラグと異なり、前記平板形状の面が非平行とされている。そして、その電極１１２，１１３の配置に合わせて、コンセント１０２には、非平行な開口１０３，１０４が形成されている。電極１１２，１１３は開口１０４，１０３にそれぞれ同時に挿入されて、電線１００と電線１１０とを導通させる。これらのコンセント１０２及びプラグ１１１は、一般のプラグ又はコンセントとは接続されない。
【００２９】
図１及び後述の図５に示すように、電線１１０の他端には、コンセント１１６が接続され、そのコンセント１１６は、もう１つ用意された電線保持具７０の内部で、電線４５の先端に接続されたプラグ４６と接続されている。なお、プラグ４６からは、アース線４７も突出している。
【００３０】
＜４．電線保持具７０の構成＞
前述のように、本実施形態の給電機構５００は、コンセント６９とプラグ１０１とを接続してなるコンセント接続部と、コンセント１１６とプラグ４６とを接続してなるコンセント接続部とを有している。そして、これらのコンセント接続部は、電線保持具７０に収納されることにより、コンセント６９とプラグ１０１との接続状態、及び、コンセント１１６とプラグ４６との接続状態が良好に維持されている。以下、この電線保持具７０の構成について図２〜図５を参照しながら説明する。
【００３１】
図２は、電線保持具７０の筐体７１の構成を表す図で、（Ａ）は平面図、（Ｂ）は側面図、（Ｃ）は背面図、（Ｄ）は断面図である。図２に示すように、筐体７１は、前記各コンセント接続部を収納可能な舟形形状を有する筐体本体７３と、その筐体本体７３にヒンジ７４を介して連結された蓋体７５とを備えている。蓋体７５は、ヒンジ７４を介して筐体本体７３に開閉可能に設けられ、筐体本体７３の開口部を閉じることができる。筐体７１は熱可塑性樹脂等によって一体成形され、ヒンジ７４は薄肉に構成されている。また、このヒンジ７４は、電線保持具７０の長手方向に沿って伸びている。このため、ヒンジ７４は、電線保持具７０の長手方向に沿った軸回りに筐体本体７３と蓋体７５との間で自由に湾曲して、両者の開閉を可能にする。
【００３２】
また、筐体本体７３は、前記コンセント接続部の形状に応じた長尺状に構成され、その長尺方向の一方の端部７３Ａは他方の端部７３Ｂに比べて小さくなっている。このため、筐体本体７３は、端部７３Ａ近傍が平面視略台形に構成され、端部７３Ｂ近傍が平面視略長方形に構成されている。すなわち、筐体本体７３は、平面視略六角形の底面７３Ｃの周囲に、端部７３Ａ，７３Ｂを含む壁面を立設した構造を有する。図２（Ａ）のＡ−Ａ線断面図としての図２（Ｄ）に示すように、底部７３Ｃは長手方向中心が深くなっている。
【００３３】
また、一方の端部７３Ａには開口側（すなわち底面７３Ｃと反対側）から矩形の第１穴部７６が形成され、他方の端部７３Ｂには開口側から矩形の第２穴部７７が形成されている。また、各端部７３Ａ，７３Ｂの内側には、当該各端部７３Ａ，７３Ｂと平行な押さえ板７８，７９が底面７３Ｃに立設されている。この押さえ板７８，７９は、第１穴部７６，第２穴部７７を塞がないように、第１穴部７６，第２穴部７７の両側に各一対設けられている。押さえ板７８は、後述の第１位置決め部材９０（図３参照）を端部７３Ａの内側面との間に挟み付けるためのものである。また、押さえ板７９は、後述の第２位置決め部材９５（図４参照）を端部７３Ｂの内側面との間に挟み付けるためのものである。
【００３４】
さらに、一対の押さえ板７８，７８と端部７３Ａとの間の底面７３Ｃには、一対の矩形の貫通穴７３Ｄ，７３Ｄが形成され、一対の押さえ板７９，７９と端部７３Ｂとの間の底面７３Ｃには、一対の矩形の貫通穴７３Ｅ，７３Ｅが形成されている。また、蓋体７５は、筐体本体７３に対して閉じられたときに筐体本体７３に向かう方向（以下、単に筐体本体７３方向ともいう）に突出したフランジ７５Ａを周囲に備えた盆状に構成されている。これに対応して、筐体本体７３には、蓋体７５が筐体本体７３に対して閉じられたときにフランジ７５Ａの内側に嵌合するリブ７３Ｆが設けられている。また、フランジ７５Ａには、第２穴部７７との対向位置に切欠７５Ｂが形成されている。
【００３５】
また、蓋体７５のヒンジ７４とは反対側の側面からは、筐体本体７３方向に矩形の係止片８１が突出している。この係止片８１の中心には、筐体７１の長手方向に平行な長辺を有する長方形の係止穴８１Ａが形成されている。
【００３６】
一方、筐体本体７３のヒンジ７４とは反対側の側面には、蓋体７５が筐体本体７３に対して閉じられたときに係止片８１を案内する一対のガイド突起８３，８３が形成されている。また、一対のガイド突起８３，８３の間には、係止穴８１Ａに嵌合可能な係止突起８４が形成されている。
【００３７】
このため、蓋体７５が筐体本体７３に対して閉じられると、一対のガイド突起８３，８３に係止片８１が案内され、係止穴８１Ａは係止突起８４との対向位置に配設される。係止突起８４を弾性変形させて係止穴８１Ａを拡張しながらその係止穴８１Ａに係止突起８４が嵌合されると、その嵌合によって、蓋体７５は筐体本体７３に対して閉じられた状態に保持される。すなわち、係止片８１及び係止突起８４はロック機構に相当する。
【００３８】
図３は、第１位置決め部材９０の構成を表す図で、（Ａ）は側面図、（Ｂ）は斜視図である。この第１位置決め部材９０は、一対の押さえ板７８，７８と端部７３Ａとの間に挿入される一対の脚部９１，９１を備えており、各脚部９１の先端には、貫通穴７３Ｄに嵌合する突起９１Ａがそれぞれ形成されている。また、一対の脚部９１，９１は、基端（突起９１Ａ，９１Ａと反対側端部）が連結部９３によって連結されている。この連結部９３の各突起９１Ａ側の端面９３Ａは、第１穴部７６に連接されることによってより小径の穴を形成する形状に構成されている。また、連結部９３には、各突起９１Ａが貫通穴７３Ｄに嵌合するように第１位置決め部材９０が筐体本体７３に装着されたときに、リブ７３Ｆに連接されるリブ９３Ｂも形成されている。
【００３９】
図４は、第２位置決め部材９５の構成を表す図で、（Ａ）は側面図、（Ｂ）は斜視図である。この第２位置決め部材９５も、第１位置決め部材９０と同様に、一対の押さえ板７９，７９と端部７３Ｂとの間に挿入される一対の脚部９６，９６を備えている。各脚部９６の先端には、貫通穴７３Ｅに嵌合する突起９６Ａがそれぞれ形成されている。また、一対の脚部９６，９６は、基端が長尺直方体状の連結部９７によって連結されている。さらに、連結部９７及び一対の脚部９６，９６によって構成されるコの字形部材の内周面には、第２穴部７７の内周面に嵌合するリブ９８が形成されている。また連結部９７に隣接するリブ９８には、各突起９６Ａが貫通穴７３Ｅに嵌合するように第２位置決め部材９５が筐体本体７３に装着されたときに、リブ７３Ｆに連接されるリブ９９も形成されている。
【００４０】
＜５．給電機構５００及び電線保持具７０の効果＞
図５は、前記のように構成された電線保持具７０を、スロットマシーン１に設けられた電線４５のプラグ４６と、電線１１０の他端のコンセント１１６とを接続してなるコンセント接続部に装着する場合を表している。図５に示すように、プラグ４６にはアース線４７が接続されているので、プラグ４６は筐体本体７３の端部７３Ｂ側に配設され、第２穴部７７を介して電線４５とアース線４７とが筐体７１の外に貫通するよう配置される。すなわち、第１穴部７６と第１位置決め部材９０とによって構成される穴よりも、第２穴部７７と第２位置決め部材９５とによって構成される穴の方が大きいので、電線４５とアース線４７とが接続されたプラグ４６は、筐体本体７３の端部７３Ｂの側に収納されるのである。
【００４１】
一方、コンセント１１６は、筐体本体７３の端部７３Ａ側に配設され、第１穴部７６を介して電線１１０が筐体７１の外に貫通するよう配置される。このようにして、コンセント１１６とプラグ４６とが接続された状態で筐体本体７３に収納されると、収納されたままではプラグ４６がコンセント１１６から抜けないように、筐体本体７３の大きさが設計されている。換言すれば、筐体本体７３は、コンセント１１６及びプラグ４６がその筐体本体７３に収納されているときは両者を接続状態に維持する大きさに設計されている。
【００４２】
したがって、このままの状態で蓋体７５を閉じ、係止片８１の係止穴８１Ａに係止突起８４を嵌合させれば、コンセント１１６とプラグ４６とが外れるのを電線保持具７０によって良好に抑制することができる。
【００４３】
電線保持具７０では、さらに、第１穴部７６の周囲の端部７３Ａと押さえ板７８との間に第１位置決め部材９０が装着される。このため、第１穴部７６を貫通する電線１１０が、第１位置決め部材９０によって位置決めされる。同様に、電線保持具７０では、第２穴部７７の周囲の端部７３Ｂと押さえ板７９との間に第２位置決め部材９５が装着される。このため、第２穴部７７を貫通する電線４５及びアース線４７が、第２位置決め部材９５によって位置決めされる。
【００４４】
したがって、第１位置決め部材９０及び第２位置決め部材９５を装着してから蓋体７５を閉じ、係止片８１の係止穴８１Ａに係止突起８４を嵌合させれば、コンセント１１６とプラグ４６とが外れるのを一層良好に抑制することができる。すなわち、この場合、給電機構５００に装着された電線保持具７０の配置、及び、その通電経路における電線１１０，４５及びアース線４７の配置が、一層安定する。
【００４５】
なお、前述のように、第１位置決め部材９０又は第２位置決め部材９５のいずれか一方又は両方を使用しなくても、コンセント１１６とプラグ４６とが外れるのを抑制することは可能である。したがって、電線１１０または電線４５の動きの自由度を向上させたい場合などには、第１位置決め部材９０又は第２位置決め部材９５のいずれか一方又は両方を意図的に使用しなくてもよい。
【００４６】
また、電線保持具７０では、係止片８１の係止穴８１Ａに係止突起８４が嵌合することによって筐体７１が閉じた状態に保持されるので、筐体７１が何らかの衝撃等によって開いてコンセント１１６とプラグとが外れてしまうのも抑制することができる。なお、以上説明した効果は、コンセント１１６とプラグ４６とからなるコンセント接続部に限らず、コンセント６９とプラグ１０１とからなるコンセント接続部に対しても同様に生じ、給電機構５００以外のコンセント接続部に対しても同様に生じる。
【００４７】
本実施形態の給電機構５００は、コンセント６９とプラグ１０１とを接続してなるコンセント接続部と、コンセント１１６とプラグ４６とを接続してなるコンセント接続部とを有している。そして、これらのコンセント接続部は、電線保持具７０に収納されることにより接続状態が良好に維持されている。
【００４８】
前記２つのコンセント接続部の間の通電経路は、一般のプラグ又はコンセントと接続されないコンセント１０２及びプラグ１１１を接続してなる異形接続部を介して接続されている。スロットマシーン１又はトランス６５の入れ替えやメンテナンスは、このコンセント１０２とプラグ１１１との接続／離脱によってなされる。したがって、給電機構５００では、ＡＣ２４Ｖの電圧を供給すべきスロットマシーン１に、ＡＣ１００Ｖの電圧が誤接続によって供給されてしまうのを抑制することができる。
【００４９】
また、電線保持具７０が装着されていることをもって、その通電経路がＡＣ２４Ｖの電圧に対応した通電経路である目印としても、ＡＣ２４Ｖの電圧を供給すべきスロットマシーン１に、ＡＣ１００Ｖの電圧が誤接続によって供給されてしまうのを抑制することができる。しかも、給電機構５００は、一般的な通電経路の一部にコンセント１０２及びプラグ１１１からなる異形接続部を設け、かつ、一対のコンセント接続部に電線保持具７０をそれぞれ装着しただけの構造であるので、島台５０における配線の自由度が低下するのも抑制される。
【００５０】
また、電線保持具７０の筐体７１は、ヒンジ７４を介して筐体本体７３と蓋体７５とが開閉可能に構成されている。このため、コンセント１１６及びプラグ４６等のコンセント接続部が接続された状態からでも、容易に筐体７１を前記コンセント接続部に装着することができる。
【００５１】
＜６．他の実施形態＞
なお、電線保持具７０は、透明樹脂により内部が外から見えるように構成されてもよく、有色樹脂により内部が外から見えないように構成されてもよい。前者の場合、コンセント１１６及びプラグ４６等のコンセント接続部が接続された状態にあるか否かを容易に確認することができる。後者の場合、電線保持具７０の内部に何があるのか一般の遊技者には分からないので、遊技者にいたずらされるのを抑制することができる。また、ロック機構は、前述のような簡易な構成のものに限定されるものではなく、番号を合わせるなどしなければ筐体７１を開けることができないような機構であってもよい。その場合、特定の管理者しか筐体７１を開けることができず、遊技場のセキュリティを向上させることができる。
【００５２】
また、トランス６５等を備えた電源部６０は、遊技機設置空間５７の下方にあってもよく、例えば横桟５３Ｄの上面に設けられてもよい。その場合も、前記実施形態と同様の給電機構５００を、電線保持具７０を用いて構成することができる。また、トランス６５とコンセント１０２とは電線６８を介して直結されていてもよい。
【００５３】
また、第１穴部７６を貫通する電線１１０を位置決めする構成も、前記以外に種々の形態を考えることができる。例えば、図１０（Ａ），（Ｂ）に示すように、底面７３Ｃにおける端部７３Ａ近傍（コンセント１１６より手前で、第１穴部７６を貫通した電線１１０と対向可能な位置）に、電線１１０を挟むように平行に突出した係止柱７７０を形成してもよい。この係止柱７７０の先端は、図１０（Ｂ）に模式的に示すように、互いに近接方向に突出するように鈎状に形成され、一対の係止柱７７０の間に圧入された電線１１０を良好に底面７３Ｃ上の所定位置に位置決めすることができる。なお、図１０（Ｂ）は、係止柱７７０の側面形状（電線保持具７０の長手方向から見た形状）を模式的に表す図で、断面を表すハッチング等は省略されている。また、第２穴部７７を貫通する電線４５及びアース線４７の位置決めも、同様の機構を用いてなされてもよい。
【００５４】
また、電線保持具７０では、第１穴部７６，第２穴部７７の双方から電線を着脱可能に貫通させているが、いずれか一方の穴部（例えば第２穴部７７）に対しては電線が固定（いわゆる嵌め殺し）されてもよい。また、いずれか一方の穴部（例えば第２穴部７７）からは、筐体内でコンセント接続部を構成したプラグ又はコンセントに更に他の電線を介して接続された接続部材を貫通させてもよい。この接続部材としては、例えば、引掛シーリング等で利用されるような一般のプラグ及びコンセントとは異なる端子形状の接続部材が考えられる。また、引掛シーリング等で利用されるような端子形状の接続部材は、コンセント１０２及びプラグ１１１の代わりに異形接続部として使用されてもよい。
【００５５】
また、前記実施形態では、複数のスロットマシーン１を備えた島台５０に適用した場合について説明したが、本発明の遊技機用電線保持具及び遊技機用給電機構は、他のスロットマシーンやパチンコ機など、種々の遊技機に対して適用することができ、単一の遊技機を備えたいわゆる独立島に対しても適用することができる。
【符号の説明】
【００５６】
１…スロットマシーン            ４５，６１，６８，１００，１１０，１１２……電線
４６，１０１，１１１…プラグ    ４７…アース線
５０…島台                      ５３…横桟
５５…島柱                      ５７…遊技機設置空間
６０…電源部                    ６３，６９，１０２，１１６…コンセント
６５…トランス                  ７０…電線保持具
７１…筐体                      ７３…筐体本体
７３Ａ，７３Ｂ…端部            ７４…ヒンジ
７５…蓋体                      ７６…第１穴部
７７…第２穴部                  ７８，７９…押さえ板
８１…係止片                    ８１Ａ…係止穴
８４…係止突起                  ９０…第１位置決め部材
９５…第２位置決め部材          ５００…給電機構
【図１】
2015144786.tif 000003
【図２】
2015144786.tif 000004
【図３】
2015144786.tif 000005
【図４】
2015144786.tif 000006
【図５】
2015144786.tif 000007
【図６】
2015144786.tif 000008
【図７】
2015144786.tif 000009
【図８】
2015144786.tif 000010
【図９】
2015144786.tif 000011
【図１０】
2015144786.tif 000012